(57)【特許請求の範囲】
【請求項１】
ＩＳＤＮ回線網と後段のＩＳＤＮ用端末との間に設けられ、起動信号に応じて回線を捕捉し予め設定された通報先のダイヤル番号送出をした後、通報メッセージを送出するアナログ回線用通報装置を前記ＩＳＤＮ回線網に接続するための装置であって、
前記通報装置を前記ＩＳＤＮ回線網に接続するための処理を行うターミナルアダプタ部と、
前記ターミナルアダプタ部と前記ＩＳＤＮ回線網との間の接続は保ちつつ、前記ＩＳＤＮ回線網と前記ＩＳＤＮ用端末との間の接続／切断を制御する回線強制切断回路部とを備え、
前記ターミナルアダプタ部は、
前記通報装置の回線捕捉を検出する回線捕捉検出手段と、
前記回線捕捉検出手段で前記回線捕捉が検出された後に、前記通報装置から送出される前記通報先のダイヤル番号を識別し、前記ＩＳＤＮ回線網を通じて、前記通報先に発呼を行う発呼手段と、
前記通報装置からの通報メッセージを前記ＩＳＤＮ回線網用の信号に変換して前記ＩＳＤＮ回線網に送出する手段と、
前記発呼に対して前記ＩＳＤＮ回線網から解放完了メッセージを受けたときに、その旨を前記通報装置に報知した後に、前記回線強制切断回路部を制御して、前記ＩＳＤＮ用端末を前記ＩＳＤＮ回線網から切断し、前記ＩＳＤＮ回線網との接続の復旧後の前記通報装置の回線捕捉を前記回線捕捉検出手段で検出したときに、前記発呼手段による前記通報先への再度の発呼およびその後の通報メッセージの送出を実行するように制御すると共に、
前記通報装置の回線開放動作の検知信号と、前記通報装置からの通報中出力信号とから前記通報先からの逆信を待つ逆信待機を検知したときに、前記ＩＳＤＮ用端末が前記ＩＳＤＮ回線網から切断されていないときには、前記回線強制切断回路部を制御して、前記ターミナルアダプタ部と前記ＩＳＤＮ回線網との間の接続は保ちつつ、前記ＩＳＤＮ用端末を前記ＩＳＤＮ回線網から切断すると共に、前記通報装置の回線捕捉に基づき捕捉していた回線を開放するように制御する制御手段と、
を備えることを特徴とするＩＳＤＮ回線中継装置。
【請求項２】
ＩＳＤＮ回線網と後段のＩＳＤＮ用端末との間に設けられ、起動信号に応じて回線を捕捉し予め設定された通報先のダイヤル番号送出をした後、通報メッセージを送出するアナログ回線用通報装置を前記ＩＳＤＮ回線網に接続するための装置であって、
前記通報装置を前記ＩＳＤＮ回線網に接続するための処理を行うと共に、アナログポートとして、前記通報装置用の他に、他のアナログ回線用端末用のポートを有するターミナルアダプタ部と、
前記ターミナルアダプタ部と前記ＩＳＤＮ回線網との間の接続は保ちつつ、前記ＩＳＤＮ回線網と前記ＩＳＤＮ用端末との間の接続／切断を制御する回線強制切断回路部とを備え、
前記ターミナルアダプタ部は、
前記通報装置の回線捕捉を検出する第１の回線捕捉検出手段と、
前記他のアナログ回線用端末の回線捕捉を検出する第２の回線捕捉検出手段と、
前記第１の回線捕捉検出手段で前記回線捕捉が検出された後に、前記通報装置から送出される前記通報先のダイヤル番号を識別し、前記ＩＳＤＮ回線網を通じて、前記通報先に発呼を行う発呼手段と、
前記通報装置からの通報メッセージを前記ＩＳＤＮ回線網用の信号に変換して前記ＩＳＤＮ回線網に送出する手段と、
前記発呼に対して前記ＩＳＤＮ回線網から解放完了メッセージを受けたときに、その旨を前記通報装置に報知した後に、前記回線強制切断回路部を制御して、前記ＩＳＤＮ用端末を前記ＩＳＤＮ回線網から切断し、前記ＩＳＤＮ回線網との接続の復旧後の前記通報装置の回線捕捉を前記第１の回線捕捉検出手段で検出したときに、前記発呼手段による前記通報先への再度の発呼およびその後の通報メッセージの送出を実行するように制御すると共に、
前記通報装置の回線開放動作の検知信号と、前記通報装置からの通報中出力信号とから前記通報先からの逆信を待つ逆信待機を検知したときに、前記ＩＳＤＮ用端末が前記ＩＳＤＮ回線網から切断されていないときには、前記回線強制切断回路部を制御して、前記ターミナルアダプタ部と前記ＩＳＤＮ回線網との間の接続は保ちつつ、前記ＩＳＤＮ用端末を前記ＩＳＤＮ回線網から切断すると共に、前記通報装置の回線捕捉に基づき捕捉していた回線を開放して逆信待機状態とし、さらに、この逆信待機状態において前記他のアナログ回線用端末による回線捕捉が前記第２の回線捕捉検出手段で検出されたときには、前記他のアナログ回線用端末にビジートーンを送出するように制御する制御手段と、
を備えることを特徴とするＩＳＤＮ回線中継装置。
【発明の詳細な説明】
【０００１】
【発明の属する技術分野】
この発明は、例えば火災などの非常事態の発生時に、電話回線を通じて、消防署などの所定の通報先に通報メッセージを送出するようにするアナログ回線用の通報装置を、ＩＳＤＮ回線に対して接続することができるようにするターミナルアダプタ機能を備えるＩＳＤＮ回線中継装置に関する。
【０００２】
【従来の技術】
例えば、盗難、火災等の非常事態が発生した場合に、非常用押ボタンスイッチやセンサにより起動されて、警察署や消防署などの予め設定された通報先のダイヤル番号を電話回線を通じて送出し、通報先の相手が応答すると、予め記憶されている通報メッセージを送出するようにする非常通報装置が知られている（例えば特公昭６３−３７５４９号公報等参照）。
【０００３】
この非常通報装置は、現在のところ、アナログ回線用のものが主として用いられている。このアナログ回線用の非常通報装置の通報処理時の動作の概略は、次のようになる。
【０００４】
まず、非常用押ボタンスイッチが押された、あるいは火災センサにより火災が検知されると、通報の起動信号が発生する。この起動信号の発生に応じて、非常通報装置は、回線（アナログ回線）を捕捉し、記憶している「１１０番」や「１１９番」のダイヤル番号のダイヤル送出を行う。そして、通報先である警察署や消防署の応答を確認した後、記憶部に記憶している所定の通報メッセージを、警察署や消防署に送る。これにより、警察署や消防署には、迅速に、かつ、確実に非常事態が伝達される。
【０００５】
しかし、非常通報装置は、一般に、他の電話端末と回線を共有する使用態様となっている場合が多く、このため、非常事態が発生したときに、通報に用いようとする電話回線が話中であったり、丁度、着信中であった場合には、当該回線が解放されるまで、通報が遅れる問題がある。
【０００６】
そこで、通報に用いようとするアナログ電話回線が話中などで使用中となっているときに、当該アナログ回線を強制的に開放する回線開放手段をアナログ回線用非常通報装置に設け、迅速に非常通報ができるようにする方策が種々提案されている。
【０００７】
【発明が解決しようとする課題】
ところで、電話回線として、高速のデータ通信が可能なため、デジタル回線であるＩＳＤＮ回線が普及しつつある。そして、従来のアナログ回線用の電話端末装置は、ターミナルアダプタをＩＳＤＮ回線との間に介在させることで、このＩＳＤＮ回線に対しても接続することができる。
【０００８】
すなわち、上述したアナログ回線用の非常通報装置をＩＳＤＮ回線に接続できるターミナルアダプタがあれば、ＩＳＤＮ回線用の非常通報装置を、新たに購入しなくても、ＩＳＤＮ回線に対して接続して使用することができる。
【０００９】
しかしながら、アナログ回線用非常通報装置を、ターミナルアダプタを介してＩＳＤＮ回線に接続するシステム構成の場合には、アナログ回線を強制的に開放する回線開放手段がアナログ回線用非常通報装置に存在しても、それは、まったく無意味である。
【００１０】
そこで、本願の出願人は、特願平９−２７１１１１号として、ＩＳＤＮ回線網とＩＳＤＮ用端末との間の接続／切断を制御する接続／切断切換回路を設けて、ＩＳＤＮ用端末が使用中であってＩＳＤＮ回線の２個のＢチャネルが塞がっている場合にも、接続／切断切換回路を強制切断して、アナログ回線用の非常通報装置から警察署や消防署などの通報先への非常通報が迅速に行なえるようにしたＩＳＤＮ回線中継装置を提案した。
【００１１】
しかし、このように非常通報の起動時に、強制的に回線開放にして通報メッセージを通報先に送ることができても、非常通報の通報先である警察署や消防署からの逆信時の問題が残る。
【００１２】
すなわち、この非常通報システムにおいては、非常通報装置から通報メッセージを通報先に送った後、非常通報装置は、回線を一旦開放して、通報先である警察署や消防署からの逆信を待つ逆信待機状態になる。そして、通報先から逆信があると、それを非常電話機で受け、通報先と通話を行なうようにする。
【００１３】
ところが、この逆信待機時に、ＩＳＤＮ用端末などの非常通報装置以外の端末から回線捕捉要求が発生した場合に、その回線捕捉要求に応じて回線を使用してしまうと、回線が塞がって、通報先からの逆信を迅速には受信できなくなってしまう場合が生じる。
【００１４】
この発明は、以上のような、アナログ回線用の非常通報装置をＩＳＤＮ回線に接続した場合の逆信待機中の上記の問題点を解決できるＩＳＤＮ回線中継装置を提供することを目的とする。
【００１５】
【課題を解決するための手段】
上記課題を解決するため、請求項１の発明は、
ＩＳＤＮ回線網と後段のＩＳＤＮ用端末との間に設けられ、起動信号に応じて回線を捕捉し予め設定された通報先のダイヤル番号送出をした後、通報メッセージを送出するアナログ回線用通報装置を前記ＩＳＤＮ回線網に接続するための装置であって、
前記通報装置を前記ＩＳＤＮ回線網に接続するための処理を行うターミナルアダプタ部と、
前記ターミナルアダプタ部と前記ＩＳＤＮ回線網との間の接続は保ちつつ、前記ＩＳＤＮ回線網と前記ＩＳＤＮ用端末との間の接続／切断を制御する回線強制切断回路部とを備え、
前記ターミナルアダプタ部は、
前記通報装置の回線捕捉を検出する回線捕捉検出手段と、
前記回線捕捉検出手段で前記回線捕捉が検出された後に、前記通報装置から送出される前記通報先のダイヤル番号を識別し、前記ＩＳＤＮ回線網を通じて、前記通報先に発呼を行う発呼手段と、
前記通報装置からの通報メッセージを前記ＩＳＤＮ回線網用の信号に変換して前記ＩＳＤＮ回線網に送出する手段と、
前記発呼に対して前記ＩＳＤＮ回線網から解放完了メッセージを受けたときに、その旨を前記通報装置に報知した後に、前記回線強制切断回路部を制御して、前記ＩＳＤＮ用端末を前記ＩＳＤＮ回線網から切断し、前記ＩＳＤＮ回線網との接続の復旧後の前記通報装置の回線捕捉を前記回線捕捉検出手段で検出したときに、前記発呼手段による前記通報先への再度の発呼およびその後の通報メッセージの送出を実行するように制御すると共に、
前記通報装置の回線開放動作の検知信号と、前記通報装置からの通報中出力信号とから前記通報先からの逆信を待つ逆信待機を検知したときに、前記ＩＳＤＮ用端末が前記ＩＳＤＮ回線網から切断されていないときには、前記回線強制切断回路部を制御して、前記ターミナルアダプタ部と前記ＩＳＤＮ回線網との間の接続は保ちつつ、前記ＩＳＤＮ用端末を前記ＩＳＤＮ回線網から切断すると共に、前記通報装置の回線捕捉に基づき捕捉していた回線を開放するように制御する制御手段と、
を備えることを特徴とする。
【００１６】
また、請求項２の発明は、
ＩＳＤＮ回線網と後段のＩＳＤＮ用端末との間に設けられ、起動信号に応じて回線を捕捉し予め設定された通報先のダイヤル番号送出をした後、通報メッセージを送出するアナログ回線用通報装置を前記ＩＳＤＮ回線網に接続するための装置であって、
前記通報装置を前記ＩＳＤＮ回線網に接続するための処理を行うと共に、アナログポートとして、前記通報装置用の他に、他のアナログ回線用端末用のポートを有するターミナルアダプタ部と、
前記ターミナルアダプタ部と前記ＩＳＤＮ回線網との間の接続は保ちつつ、前記ＩＳＤＮ回線網と前記ＩＳＤＮ用端末との間の接続／切断を制御する回線強制切断回路部とを備え、
前記ターミナルアダプタ部は、
前記通報装置の回線捕捉を検出する第１の回線捕捉検出手段と、
前記他のアナログ回線用端末の回線捕捉を検出する第２の回線捕捉検出手段と、
前記第１の回線捕捉検出手段で前記回線捕捉が検出された後に、前記通報装置から送出される前記通報先のダイヤル番号を識別し、前記ＩＳＤＮ回線網を通じて、前記通報先に発呼を行う発呼手段と、
前記通報装置からの通報メッセージを前記ＩＳＤＮ回線網用の信号に変換して前記ＩＳＤＮ回線網に送出する手段と、
前記発呼に対して前記ＩＳＤＮ回線網から解放完了メッセージを受けたときに、その旨を前記通報装置に報知した後に、前記回線強制切断回路部を制御して、前記ＩＳＤＮ用端末を前記ＩＳＤＮ回線網から切断し、前記ＩＳＤＮ回線網との接続の復旧後の前記通報装置の回線捕捉を前記第１の回線捕捉検出手段で検出したときに、前記発呼手段による前記通報先への再度の発呼およびその後の通報メッセージの送出を実行するように制御すると共に、
前記通報装置の回線開放動作の検知信号と、前記通報装置からの通報中出力信号とから前記通報先からの逆信を待つ逆信待機を検知したときに、前記ＩＳＤＮ用端末が前記ＩＳＤＮ回線網から切断されていないときには、前記回線強制切断回路部を制御して、前記ターミナルアダプタ部と前記ＩＳＤＮ回線網との間の接続は保ちつつ、前記ＩＳＤＮ用端末を前記ＩＳＤＮ回線網から切断すると共に、前記通報装置の回線捕捉に基づき捕捉していた回線を開放して逆信待機状態とし、さらに、この逆信待機状態において前記他のアナログ回線用端末による回線捕捉が前記第２の回線捕捉検出手段で検出されたときには、前記他のアナログ回線用端末にビジートーンを送出するように制御する制御手段と、
を備えることを特徴とする。
【００１７】
【作用】
上記の構成の請求項１の発明のＩＳＤＮ回線中継装置においては、通報装置が起動されて、回線捕捉動作をすると、それを検出し、続いて送られてくる通報先のダイヤル番号を識別して、通報先に、ＩＳＤＮの発呼手順に従い発呼動作をする。そして、通報先との間でＩＳＤＮ回線が接続されると、通報装置からの通報メッセージはターミナルアダプタを通じ、ＩＳＤＮ回線を通じて、通報先に送出される。
【００１８】
その後、通報装置が逆信待機のために回線開放動作をするので、ＩＳＤＮ回線中継装置は、それを検出する。そして、ＩＳＤＮ回線中継装置の制御手段は、回線強制切断回路部を制御して、ターミナルアダプタ部とＩＳＤＮ回線網との間の接続は保ちつつ、ＩＳＤＮ回線網とＩＳＤＮ用端末との間を切断し、逆信待機状態とする。そして、通報先からの逆信の着信があると、通報装置側での応答により通話状態に移行する。
【００１９】
以上のように、請求項１の発明においては、逆信待機状態においては、ＩＳＤＮ用端末は、ＩＳＤＮ回線網から切断されているので、逆信待機中のこれらＩＳＤＮ用端末からの回線捕捉は無効となり、通報先からの逆信を確実に受けることができる。
【００２０】
また、請求項２の発明は、ターミナルアダプタ部がアナログポートとして、前記通報装置用の他に、他のアナログ回線用端末用のポートを有する場合である。この請求項２の発明の場合には、逆信待機状態において前記の他のアナログ回線用端末から回線捕捉が発生する場合に、これを生かすと逆信を受けられなくなるおそれがある。
【００２１】
この請求項２の発明においては、逆信待機中の前記他のアナログ回線用端末による回線捕捉があったときには、ターミナルアナログ部の制御手段は当該他のアナログ回線用端末にビジートーンを送出して、当該他のアナログ回線用端末による回線捕捉を受け付けないようにしている、したがって、通報先からの逆信を確実に受けることができる。
【００２２】
【発明の実施の形態】
以下、この発明によるＩＳＤＮ回線中継装置の実施の形態を、非常通報装置用のアナログポートの他に、１つの他のアナログ回線用端末用のポートを備える場合について、図を参照しながら説明する。
【００２３】
図２は、ＩＳＤＮ回線に対する、この実施の形態のＩＳＤＮ回線中継装置や、非常通報装置、さらには他のＩＳＤＮ用端末の接続態様を示すものである。すなわち、ＩＳＤＮ回線１は、ＤＳＵ（回線終端装置）２を通じて加入者宅内ネットワーク３に接続される。加入者宅内ネットワーク３の、最もＤＳＵ２側には、この実施の形態のＩＳＤＮ回線中継装置１０が接続される。そして、ＩＳＤＮ回線中継装置１０に接続される加入者宅内ネットワーク３には、他のＩＳＤＮ用端末として、デジタル回線用端末６や７が接続されている。
【００２４】
ＩＳＤＮ回線中継装置１０は、ＤＳＵ２と加入者宅内ネットワーク３との間に設けられる回線強制切断回路２００と、非常通報装置４およびアナログ回線用端末５をＩＳＤＮ回線網に対して接続するためのターミナルアダプタ部１００とを備える。
【００２５】
回線強制切断回路２００は、後述もするように、ターミナルアダプタ部１００とＩＳＤＮ回線網との間の接続は保ちつつ、ＩＳＤＮ回線網とＩＳＤＮ用端末としてのデジタル回線用端末６や７が接続される加入者宅内ネットワーク３部分との間を強制切断することができる切換回路を備える。
【００２６】
そして、この例の場合、非常通報装置４は、非常通報動作を行っているときには、通報中出力信号を発生する機能を備えるもので、アナログ電話回線に接続すべき端子４ａと、非常通報動作中の前記通報動作中信号を出力する端子４ｂと、逆信を受信して、通報先と通話をするための非常用電話機８を接続するための端子４ｃとを備える。
【００２７】
そして、非常通報装置４の端子４ａが、ターミナルアダプタ部１００の非常通報装置用アナログポートとなるＩＳＤＮ回線中継装置１０の端子１０ａに接続される。また、非常通報装置４の端子４ｂは、ターミナルアダプタ部１００の通報中出力入力端子に接続されているＩＳＤＮ回線中継装置１０の端子１０ｂに接続され、非常通報装置４からの通報中出力信号はこの端子１０ｂを通じてターミナルアダプタ部１００に入力される。
【００２８】
また、アナログ回線用端末５のアナログ電話回線に接続すべき端子が、ターミナルアダプタ部１００の他のアナログ回線用端末用のアナログポートとなるＩＳＤＮ回線中継装置１０の端子１０ｇに接続される。
【００２９】
非常通報装置４は、この実施の形態では、非常事態の発生に応じた起動信号の発生に応じて、図３のフローチャートに示すような動作を実行する。
【００３０】
すなわち、非常通報装置４は、非常ボタンや火災センサなどの監視の結果としての起動信号の発生を監視する。そして、起動信号の発生を検知すると、図３のフローチャートを実行する。
【００３１】
まず、ステップ１０１において回線捕捉動作を行う。次に、ステップ１０２において、捕捉した回線において、トーン検出回路２１によりダイヤルトーンを検出し、交換機側のダイヤル受入れ準備ができているか否かを検出する。または、このステップ１０２で回線捕捉した後、３秒以上の経過を待つ。
【００３２】
そして、ダイヤルトーン検出などにより、交換機側のダイヤル受入れ準備ができていることを確認した後、予め設定されている通報先、つまり、「１１０番」や「１１９番」に自動ダイヤルを行う。次に、ステップ１０４に進み、通報先の応答があるか否かを通報先からの応答音声が検出されたかどうかにより判別する。通話先の応答がなければ、ステップ１０５に進み、相手不応答を確認する。この相手不応答の確認は、例えば一定時間以上の相手不応答の検出やビジートーンの検出により行うものである。
【００３３】
ステップ１０５で相手不応答を確認すると、ステップ１０６に進み、一旦回線を開放し、次のステップ１０７で４秒以上待機する。この４秒以上の時間は、回線を完全に開放するための時間である。ステップ１０７で４秒以上の時間の経過を検出すると、ステップ１０１に戻り、通報動作をやり直す。
【００３４】
ステップ１０４で相手の応答を確認すると、ステップ１０８に進み、非常通報装置のメモリに予め格納されている通報メッセージを、通報先に送出する。そして、通報メッセージの送出後、ステップ１０９に進み、捕捉していた回線を一旦開放し、その後、５秒間の逆信信号の待機を行う。すなわち、ステップ１１０で、逆信を検出（逆信の着呼を検出）したか否か判別し、逆信を検出しないときには、ステップ１１１で５秒間の経過を判別し、逆信待ちの状態で５秒間経過していないときには、ステップ１１０に戻って、逆信待ちを継続する。
【００３５】
そして、次のステップ１１１で、５秒間の間、逆信が検出できなかったと判別されたときには、ステップ１１２に進み、開放していた回線を捕捉して、ステップ１０８に戻り、通報メッセージの再送を行う。前述したように、このとき、１１０番や１１９番の通報先は回線を保持しているので、この通報先へのダイヤル送出は行わない。
【００３６】
そして、ステップ１１０で逆信を検出すると、ステップ１１３に進み、非常通報装置に接続されている非常用電話機８のベルを鳴動させ、次のステップ１１４で非常用電話機８でのオフフックによる応答を待つ。そして、非常用電話機８でのオフフックを検出すると、ステップ１１５に進み、通報先との相互通話を行い、ステップ１１６での非常用電話機８のオンフックの確認により、通報処理終了となる。
【００３７】
次に、この実施の形態のＩＳＤＮ回線中継装置１０について説明する。この実施の形態のＩＳＤＮ回線中継装置１０は、図１に示すように構成される。
【００３８】
ＩＳＤＮ回線中継装置１０の回線強制切断回路部２００においては、ＩＳＤＮ回線網に接続されているＤＳＵ２と接続されるＩＳＤＮ回線中継装置１０の端子１０ｃ，１０ｄと、ターミナルアダプタ部１００との間は、常時、接続されている。
【００３９】
また、回線強制切断回路部２００は、接続／切断切換回路を構成するリレーＲＡおよびそのリレー接点ｒａ，ｒａを備える。このリレーＲＡのリレー接点ｒａ，ｒａは、ターミナルアダプタ部１００と端子１０ｃ，１０ｄとの接続点と、後段のＩＳＤＮ用端末であるデジタル回線用端末６、７が接続されている加入者宅内ネットワーク３が接続されるＩＳＤＮ回線中継装置１０の端子１０ｅ，１０ｆとの間に設けられる。
【００４０】
リレーＲＡは、通常の状態ではオフとされ、その接点ｒａ，ｒａは、図示のように、ターミナルアダプタ部１００と端子１０ｃ，１０ｄとの接続点と、端子１０ｅ，１０ｆとを接続する状態にあり、ＩＳＤＮ回線１がターミナルアダプタ部１００のみならず、後段のＩＳＤＮ用端末６、７にも接続されている状態となっている。
【００４１】
そして、後述するように、ターミナルアダプタ部１００の制御回路２４により、リレーＲＡがオンとされると、リレー接点ｒａ，ｒａが切り替わり、後段のＩＳＤＮ用端末６、７側がＩＳＤＮ回線１に対して強制開放されるとともに、ターミナルアダプタ部１００は、リレー接点ｒａ，ｒａを通じて終端抵抗２０１に接続される状態になる。
【００４２】
以上のようにして、回線強制切断回路部２００は、ターミナルアダプタ部１００とＩＳＤＮ回線網との間の接続は保ちつつ、ＩＳＤＮ回線網とＩＳＤＮ用端末６や７との間の接続／切断を制御することができるように構成されている。
【００４３】
この実施の形態のＩＳＤＮ回線中継装置１０においては、ターミナルアダプタ部１００は、非常通報装置用のアナログポート１０ａ用の回路部ＴＡｓと、他のアナログ回線用端末用の回路部ＴＡｎとを備える構成となっている。
【００４４】
そして、ターミナルアダプタ部１００のＩＳＤＮ回線１側の端部には、ＩＳＤＮインターフェース１１が設けられ、このＩＳＤＮインタフェース１１と、アナログポート１０ａおよびアナログポート１０ｇのそれぞれとの間に、回路部ＴＡｓおよび回路部ＴＡｎがそれぞれ接続される。
【００４５】
ＩＳＤＮインターフェース１１は、ＤＳＵ２を介して接続されるＩＳＤＮ回線１とのインターフェース処理を行うもので、後述する制御回路２４は、このインターフェース１１を通じて、ＩＳＤＮ回線１を通じての着呼時のデータを取得して解析し、例えば相手の発番号などを検知したり、発呼時に発番号の情報を呼設定メッセージ（ＳＥＴ  ＵＰ）に加えて送出したりする。
【００４６】
回路部ＴＡｓおよびＴＡｎは、同一の構成を備えるもので、それぞれコーデック回路１２、アンプ１３および１４、２線／４線変換回路１５、給電回路１６、極性反転回路１７、回線捕捉検出回路１８、ＰＢレシーバ１９、回線捕捉監視回路２０、トーン発生回路２１を備え、各回路は制御回路２４からの必要な制御を受けるように構成されている。図１では、簡単のため、回路部ＴＡｓの内部のみを示したが、回路部ＴＡｎも、全く同様のブロック構成となっている。
【００４７】
ターミナルアダプタ部１００は、さらに、アナログポート１０ａおよび１０ｇに接続されるアナログ回線用端末に共通の呼出信号発生回路２２と、非常通報装置４からの通報中出力信号を受ける通報中検出回路２３と、制御回路２４とを備えると共に、リレーＲＢを備える。
【００４８】
各回路部ＴＡｓおよびＴＡｎにおいて、給電回路１６と極性反転回路１７との間のスイッチ接点ｒｂは、リレーＲＢの接点である。このリレーＲＢは、非常通報装置４が通報メッセージを送出後に回線を開放して逆信待機の状態のときに、通報先からの逆信をターミナルアダプタ１０が検知したときにオンとされ、その接点ｒｂが、給電回路１６側から回線捕捉監視回路２０側に切り替えられる。
【００４９】
コーデック回路１２は、制御回路２４の制御を受けて、ＩＳＤＮ回線１に送出するデータをコーディング（符号化）し、また、ＩＳＤＮ回線１からの受信データをデコード（復号化）する。
【００５０】
給電回路１６は、アナログポートとしての端子１０ａおよび１０ｇに接続される非常通報装置４および他のアナログ回線用端末５に直流電圧を給電する。極性反転回路１７は、非常通報装置４や他のアナログ回線用端末５からの発呼に応じて、ＩＳＤＮ回線１を通じた相手先から応答があったときに、直流電圧の極性を反転して、非常通報装置４や他のアナログ回線用端末５に相手応答を伝達するためのものである。
【００５１】
回線捕捉検出回路１８は、非常通報装置４で通報メッセージを発する時の回線捕捉や他のアナログ回線用端末５による回線捕捉を検出するためのもので、その検出出力を制御回路２４に出力する。ＰＢレシーバ１９は、非常通報装置４や他のアナログ回線用端末５からダイヤル番号送出があったとき、そのダイヤル番号情報（電話番号）を識別するためのもので、識別したダイヤル番号情報を制御回路２４に出力する。
【００５２】
回線捕捉監視回路２０は、非常通報装置４が、通報先からの逆信に対して応答したときや、他のアナログ回線用端末５が着信に対する応答をしたときに、その応答による回線捕捉を監視するためのものである。この回線捕捉監視回路２０の検出出力は、制御回路２４に供給される。
【００５３】
トーン発生回路２１は、ビジートーンやその他のトーン信号を発生する。後述するように、ターミナルアダプタ部１００が、非常通報装置４からの回線捕捉に続くダイヤル番号送出を受けてＩＳＤＮ網への発呼手順を実行したとき、ＩＳＤＮ回線が塞がっていた場合には、制御回路２４は、このトーン発生回路２１からビジートーンを非常通報装置４に送るように制御する。また、非常通報装置４における逆信待機中に、他のアナログ回線用端末５による回線捕捉があったときには、その回線捕捉を受け付けないようにするために、制御回路２４は、このトーン発生回路２１からビジートーンを他のアナログ回線用端末５に送るように制御する。
【００５４】
呼出信号発生回路２２は、非常通報装置４や他のアナログ回線用端末５に対する着信があったときに、それらのアナログ端末に１６Ｈｚの呼出信号を送出するためのものである。非常通報装置４の場合には、逆信待機中に、通報先から逆信があったときに、１６Ｈｚの呼出信号が送出される。
【００５５】
通報中検出回路２３は、非常通報装置４が通報動作中に出力する通報中出力信号を端子１０ｂを通じて受けて検出し、その検出出力を制御回路２４に供給するためのものである。この検出出力により、制御回路２４は、非常通報装置４での非常通報動作中を検知する。
【００５６】
次に、上述したＩＳＤＮ回線中継装置１０を経由した非常通報装置４からのＩＳＤＮ回線１を用いた通報動作について、図４〜図７を参照しながら説明する。図４および図５は、この通報動作におけるＩＳＤＮ回線中継装置１０での動作を説明するためのフローチャートである。このフローチャートの処理は、主として、制御回路２４で行われるものである。
【００５７】
また、図６および図７は、このＩＳＤＮ回線中継装置１０を経由した非常通報装置４からのＩＳＤＮ回線１を用いた通報動作のシーケンスの一例を示すものである。この図６および図７のシーケンス図は、非常通報装置４から通報メッセージを行おうとしたが、デジタル回線用端末６および７（通話中）の使用中により、ＩＳＤＮ回線の２つのＢチャネルの両方ともが塞がっている場合の動作シーケンス例を示すものである。
【００５８】
すなわち、前述したように、非常ボタンや火災センサに基づく通報の起動が発生すると、非常通報装置４は、通報中出力信号を端子４ｂから出力すると共に、回線捕捉動作を行う。
【００５９】
ターミナルアダプタ部１００では、端子１０ｂを通じて入力された通報中出力信号を通報中検出回路２３が検出し、その検出出力を制御回路２４に送る。これにより、ターミナルアダプタ部１００の制御回路２４は、非常通報装置４が通報動作中になったことを認識する。そして、図４、図５のフローチャートをスタートさせる。
【００６０】
また、ターミナルアダプタ部１００の回路部ＴＡｓでは、非常通報装置４の回線捕捉動作を回線捕捉検出回路１８で検出し、その検出出力を制御回路２４に送る。制御回路２４は、これにより、非常通報装置４による回線捕捉を検出し（図４のステップ２０１）、この回線捕捉の検出に応じて、トーン発生回路２１を制御して、ダイヤルトーン信号を発生させる。このダイヤルトーン信号は、アンプ１３−２線／４線変換回路１５−給電回路１６−極性反転回路１７−アナログポート１０ａを通じて非常通報装置４に供給される（ステップ２０２）。
【００６１】
非常通報装置４は、このダイヤルトーン信号を検出した後、通報先へダイヤル番号送出をする。ターミナルアダプタ部１００では、このダイヤル番号情報がＰＢレシーバ１９で識別され、制御回路２４に送られる。制御回路２４は、このダイヤル番号情報に基づいてＩＳＤＮ回線１への発呼動作を行う。すなわち、呼設定メッセージ（ＳＥＴ  ＵＰ）を回線１に送出する（ステップ２０３）。そして、ＩＳＤＮ回線１がビジーであるか否か判別する（ステップ２０４）。
【００６２】
呼設定メッセージを受けたＩＳＤＮ交換機側は、ＩＳＤＮ回線１が塞がっていなければ、この呼設定メッセージを受け付けるが、図６のように、ＩＳＤＮ回線１を他のＩＳＤＮ用端末６、７が使用中で回線が塞がっている場合には、この呼設定メッセージを受け付けることなく、解放完了メッセージ（ＲＥＬ  ＣＯＭＰ）を送出する。ＩＳＤＮ回線中継装置１０の制御回路２４は、この解放完了メッセージを受けて、回線使用中を認識し、トーン発生回路２１を制御して、ビジートーンを発生させ、これを非常通報装置４に送る（ステップ２０５）。
【００６３】
このビジートーンを受けた非常通報装置４は、前述した図３のステップ１０５において相手不応答を認識して、回線を開放し、待機状態になる。そして、その後、この例では、４秒経過すると、再び、図３のステップ１０１〜１０４を行い、そのときも相手不応答であればステップ１０５〜１０７を行い、ステップ１０１に戻る。つまり、非常通報装置４は、回線捕捉、ダイヤル番号送出を含む図６のＡの処理を繰り返す。
【００６４】
一方、ターミナルアダプタ部１００では、非常通報装置４にビジートーンを送出した後、リレーＲＡをオンとして、ＩＳＤＮ回線中継装置１０に対するＩＳＤＮ回線１の接続を維持したまま、ＩＳＤＮ回線１と、後段の他のＩＳＤＮ用端末側との間を切断する。すなわち、後段の他のＩＳＤＮ用端末が捕捉しているＩＳＤＮ回線を強制開放する（ステップ２０６）。そして、例えば４秒程度待機する（ステップ２０７）。この待機時間は、回線を完全に開放するための時間である。
【００６５】
そして、前記４秒程度の待機時間が経過した後、ＴＥＩ（端末終端点識別子）チェックの応答処理を行なう（ステップ２０８）。すなわち、ＩＳＤＮ回線網は、以上のようにして、加入者側でＩＳＤＮ回線が強制開放させられた後には、復旧のため、レイヤ１同期確立を行った後、ＴＥＩ（端末終端点識別子）チェックを行う。このＴＥＩチェックは、ＩＳＤＮ用端末６、７に割り当てられたＩＤが加入者側から送られてくるか否かにより行うもので、ＩＳＤＮ網では、ＩＤチェック要求を送出し、それに対するＩＳＤＮ用端末側のＩＤチェック応答を受け取り、ＩＤチェックを行うものである。
【００６６】
通常は、ＩＳＤＮ回線が復旧したときには、後段のＩＳＤＮ用端末６、７がＩＳＤＮ回線に接続されるので、ＩＳＤＮ用端末６、７がＩＤチェック応答を送る。しかし、このときには、ＩＳＤＮ回線の接続が復旧されても後段のＩＳＤＮ用端末側は切断されたままであるため、デジタル回線用端末６、７がＩＤチェック応答をすることはない。
【００６７】
この実施の形態では、デジタル回線用端末６、７に代わってＩＳＤＮ回線中継装置１０がＩＤチェック応答を行う。すなわち、ターミナルアダプタ部１００の制御回路２４は、ＩＳＤＮ回線網からＩＤチェック要求が到来したとき、このＩＤチェック要求に含まれるＴＥＩ（端末終端点識別子）の値を、ＩＤチェック応答に含めて送り返す機能を有する。なお、図６において、ＩＤチェック要求およびＩＤチェック応答に付加されている（Ａｉ）は、ＴＥＩ値（Ａｉ＝ＴＥＩ値）を示している。
【００６８】
こうして、図６のシーケンス図に示すようにして、ＴＥＩチェックがＩＳＤＮ回線中継装置１０とＩＳＤＮ回線網との間で行われ、復旧された回線が正常であると認識すると、ＩＳＤＮ回線網からは切断メッセージ（ＤＩＳＣ）が送出される。
【００６９】
ターミナルアダプタ部１００の制御回路２４は、この切断メッセージを受け取ると、解放メッセージ（ＲＥＬ）を送出する。ＩＳＤＮ回線網側は、この解放メッセージを受け取ると、解放完了メッセージ（ＲＥＬ  ＣＯＭＰ）を送出する。ＩＳＤＮ回線中継装置１０のターミナルアダプタ部１００では、この解放完了メッセージにより、回線が初期状態に戻った（回線が復旧した）ことを検知する（ステップ２０９）。このレイヤ１同期確立およびＴＥＩチェックから解放完了メッセージ送出までの時間は、１０秒程度かかる。
【００７０】
ターミナルアダプタ部１００は、このＴＥＩチェックの後のＩＳＤＮ回線網からの解放完了メッセージを受ける前は、つまり、回線復旧前は、非常通報装置４から回線捕捉があっても、それを受け付けず、通報メッセージを送出するためのその後の発呼動作も行わない。この実施の形態の場合、非常通報装置４は、相手不応答のときには、回線開放後、４秒待機して、回線捕捉動作から回線開放までの動作（図６の動作Ａ）を繰り返すので、前記ＴＥＩチェックから開放完了までの間に２回程度、動作Ａがなされるが、これはターミナルアダプタ部１００では受け付けられず、ターミナルアダプタ部１００は、上述したようにＴＥＩチェック動作を行う。
【００７１】
なお、この間のターミナルアダプタ部１００での回線捕捉検出動作および非常通報装置４へのダイヤルトーン送出動作は、図４のフローチャートでは省略した。
【００７２】
そして、ターミナルアダプタ部１００は、前記の解放完了メッセージを取得してＩＳＤＮ回線１の復旧を確認した後の、非常通報装置４からの回線捕捉を回線捕捉検出回路１８で検出すると（ステップ２１０）、それを受け付ける。そして、制御回路２４は、トーン発生回路２１を制御して、ダイヤルトーンを発生させ、非常通報装置４に送るようにする（ステップ２１１）。
【００７３】
非常通報装置４は、このダイヤルトーン信号を検出した後、通報先へダイヤル番号送出をする。ターミナルアダプタ部１００では、このダイヤル番号情報がＰＢレシーバ１９で識別され、制御回路２４に送られる。制御回路２４は、このダイヤル番号情報に基づいてＩＳＤＮ回線１への発呼動作を行う（ステップ２１２）。すなわち、呼設定メッセージ（ＳＥＴ  ＵＰ）をＩＳＤＮ回線１に送出する。
【００７４】
これ以後は、ステップ２０４で、非常通報装置４で通報動作が起動されたときに、ＩＳＤＮ回線１が使用中でない場合と同様となり、通報先の応答を待つ（ステップ２１３）。
【００７５】
すなわち、このときにはＩＳＤＮ回線１は使用中ではないので、図６に示すように、ＩＳＤＮ回線網側では、通報先の呼出を行うと共に、呼設定受付メッセージ（ＣＡＬＬ  ＰＲＯＣ）を送出後、呼出メッセージ（ＡＬＥＲＴ）をターミナルアダプタ部１００に送ってくる。ターミナルアダプタ部１００の制御回路２４は、この呼出メッセージを受け取ると、トーン発生回路２１を制御して、リングバックトーンを発生させ、これを非常通報装置４に送る。
【００７６】
通報先が応答すると、ＩＳＤＮ回線網側からは、応答メッセージ（ＣＯＮＮＥＣＴ）が送られてくるので、ターミナルアダプタ部１００の制御回路２４は、これを検知して（ステップ２１３）、トーン発生回路２１を制御し、リングバックトーンの発生を停止し、以下のように通報動作を行う（ステップ２１４）。
【００７７】
すなわち、前述したように、非常通報装置４は、通報先からの応答音声を検出した後、通報メッセージを送出する。この通報メッセージは、ターミナルアダプタ部１００の回路部ＴＡｓのコーデック回路１２で符号化されてＩＳＤＮ回線１に送出され、通報先に送られる。
【００７８】
その後、非常通報装置４は、逆信待ちの状態になり、回線を一旦開放する。ターミナルアダプタ部１００では、この回線開放を回線捕捉検出回路１８で検出し、その検出出力を制御回路２４に供給する。制御回路２４は、この検出出力を受けると（ステップ２１５）、これと通報中出力信号とから非常通報装置４の逆信待機状態を認識する（ステップ２１６）。
【００７９】
次に、ターミナルアダプタ部１００の制御回路２４は、リレーＲＡがオンであって、後段のＩＳＤＮ用端末側、この例では、デジタル回線用端末６、７がＩＳＤＮ回線１に対して既に切断されているか否か検知し（図５のステップ２１７）、切断済みでなければ、リレーＲＡをオンにして後段のデジタル回線用端末６、７とＩＳＤＮ回線１との間を切断した後、回線を開放し、逆信待機状態になる（ステップ２１８）。また、切断済みであれば、回線を開放し、逆信待機状態になる（ステップ２１９）。
【００８０】
このように、逆信待機中はデジタル回線用端末６、７とＩＳＤＮ回線１との間を切断するようにするのは、逆信待機中のデジタル回線用端末６、７からの回線捕捉を排除できるようにして、確実な逆信を行なうことができるようにするためである。
【００８１】
また、ステップ２１７で既に切断済みであるかどうかをチェックするのは、上述したように、通報起動時にＩＳＤＮ回線１がビジーであったときには、リレーＲＡをオンにして、デジタル回線用端末６、７側をＩＳＤＮ回線１から既に切り離しているからである。したがって、図７の例の場合では、実際には、リレーＲＡのオンによるＩＳＤＮ用端末側の強制切断の動作は存在しないので、図７では、その動作を括弧を囲んで示した。
【００８２】
なお、この場合には、ターミナルアダプタ部１００がＩＳＤＮ回線網の交換機と接続されているため、ＩＳＤＮ回線網側では回線切断とは検知しないので、ＴＥＩチェックによる復旧動作は不要である。
【００８３】
回線開放は、図７のシーケンス図の続きに示すようにして行われる。すなわち、回線開放の検出出力に応じて、制御回路２４は、回線切断メッセージ（ＤＩＳＣ）をＩＳＤＮ回線網側に送出する。その後、ターミナルアダプタ部１００と、ＩＳＤＮ回線網側とで、解放メッセージ（ＲＥＬ）、解放完了メッセージ（ＲＥＬ  ＣＯＭＰ）のやり取りが行なわれ、回線が開放される。
【００８４】
その後、ターミナルアダプタ部１００では、通報先からの逆信を監視する状態になる（ステップ２２０）が、通報先からの逆信が検出されるまでの待機中においては、他のアナログ回線用端末５からの回線捕捉があるか否か監視する（ステップ２２１）。
【００８５】
そして、他のアナログ回線用端末５で回線捕捉がなされたときには、ターミナルアダプタ部１００の回路部ＴＡｎの回線捕捉検出回路１８でその回線捕捉を検出し、その検出出力を制御回路２４に供給する。制御回路２４は、当該他のアナログ回線用端末５による回線捕捉を検知すると、回路部ＴＡｎのトーン発生回路２１を制御して、ビジートーンを他のアナログ回線用端末５に送出する（ステップ２２２）。このため、他のアナログ回線用端末５の使用者は、回線が塞がっているとしてオンフックをするので、回線は開放される。
【００８６】
このように、逆信待機中に他のアナログ回線用端末５で回線捕捉があったとしても、その回線捕捉は拒否されるので、非常通報装置４では、通報先からの逆信を優先的に確実に受けることができるものである。
【００８７】
そして、その後、通報先が逆信の発呼動作を行うと、その発呼時の呼設定メッセージ（ＳＥＴ  ＵＰ）をターミナルアダプタ部１００は、ＩＳＤＮ回線網側から受け取る。このとき、制御回路２４は、呼設定メッセージに含まれる発番号により、発呼してきた相手が通報先の「１１０番」または「１１９番」であるか否か検出する（ステップ２２０）。
【００８８】
ターミナルアダプタ部１００の制御回路２４は、この通報先からの逆信による着呼を検出すると、リレーＲＢをオンとする。すると、その接点ｒｂは、給電回路１６側から回線捕捉監視回路２０側に切り替わる（ステップ２２３）。
【００８９】
その後、制御回路２４は、通報中検出回路２３の検出出力により、非常通報装置４が通報中であることを確認したときには、アナログポート１０ａ用の非常通報４用の回路ＴＡｓの呼出信号発生回路２２からのみ呼出信号を発生させ、その呼出信号を、回路部ＴＡｓの回線捕捉監視回路２０、極性反転回路１７を通じて非常通報装置４に送る（ステップ２２４）。これにより、非常通報装置４に接続された非常用電話機８のベルが鳴動し、ターミナルアダプタ部１００の他のアナログポート１０ｇに接続されたアナログ回線用端末５のベルは鳴動しない。
【００９０】
制御回路２４は、これと同時に、呼設定メッセージに含まれる発番号により、発呼してきた相手が通報先の「１１０番」または「１１９番」であることを検出すると、非常用電話機８のオフフックによる応答を待たずに、回線接続の応答メッセージ「ＣＯＮＮＥＣＴ」を送出して、通報先からの逆信の着呼に対して応答する。そして、制御回路２４は、トーン発生回路２１を制御して、擬似リングバックトーンを発生させ、これを逆信をしてきた通報先に送るようにする。
【００９１】
その後、非常用電話機８でオフフックによる応答がなされると、この応答による回線捕捉が、ターミナルアダプタ部１００の回線捕捉監視回路２０で検出される。制御回路２４は、この回線捕捉監視回路２０からの回線捕捉検出出力を受けると（ステップ２２５）、トーン発生回路２１を制御して、擬似リングバックトーンの発生を停止させ、また、呼出信号発生回路２２を制御して、呼出信号の発生を停止させると共に、リレーＲＢをオフにして、接点ｒｂを給電回路１６側に戻すように制御する（ステップ２２６）。これにより、非常用電話機８と通報先とは、ＩＳＤＮ回線１を通じての相互通話の状態になる（ステップ２２７）。
【００９２】
その後、非常用電話機８で終話動作として電話機のオンフックがなされると、それがターミナルアダプタ部１００の回路部ＴＡｓの回線捕捉検出回路１８を通じて制御回路２４で終話が検出され（ステップ２２８）、回線切断のためのメッセージの交換がなされ、非常通報装置４と通報先との間の回線が切断される（ステップ２２９）。以上で、通報動作は終了となる。
【００９３】
そして、通報動作が終了すると、制御回路２４は、リレーＲＡをオフにして、他のＩＳＤＮ用端末６、７と、ＩＳＤＮ回線網１とを接続させ、通常使用状態に復旧させる（ステップ２３０）。
【００９４】
なお、以上の実施の形態では、非常通報装置４は、起動信号を受けたときに回線が使用中であるときには、通報メッセージが送出されるまで、回線開放後、所定時間待った後、再び回線捕捉をする動作Ａを、繰り返すようにする。そして、上述の説明では、回線開放後、再び回線捕捉するまでの所定時間は、４秒としたため、前述したＴＥＩチェックから解放完了までの間に動作Ａが２回程、非常通報装置で行われる。しかし、回線開放後、再び回線捕捉するまでの所定時間が１０秒以上であれば、前述したＴＥＩチェックから解放完了までの間に、非常通報装置４からの回線捕捉が到来せずに、２回目の回線捕捉のときが、解放完了後であるような場合もある。
【００９５】
また、非常通報装置が、起動信号が発生したとき、給電状態を確認し、給電がなければ待機状態とする構成を有する場合には、ターミナルアダプタ部１００は、ビジートーンを送出した後に、回路部ＴＡｓの給電回路１６を制御して、非常通報装置４への給電を停止し、ＴＥＩチェックの後の解放完了後に、給電を再開するようにしてもよい。
【００９６】
［他の実施の形態］
上述の実施の形態においては、ＩＳＤＮ回線中継装置１０のターミナルアダプタ部１００は、ＩＤチェック要求に対するＩＤチェック応答を行う機能手段を備えているが、このＩＤチェック要求に対するＩＤチェック応答を行う機能手段を備えなくても、ＩＳＤＮ回線の切断開放後の再度の通報動作を実行させるように構成することもできる。
【００９７】
すなわち、ＩＳＤＮ網側は、ＴＥＩチェックに対してＩＤチェック応答がない場合であっても、所定時間、例えば１０秒程度経過すると、ＩＳＤＮ回線を初期状態に復帰させるようにする。
【００９８】
そこで、この実施の形態では、一旦切断開放したＩＳＤＮ回線網側を、ＴＥＩチェックに対する応答は行うことなく、前記初期状態に復帰するまでの時間を見込んだ時間だけ待機する。そして、当該待機時間が経過した後の非常通報装置からの回線捕捉を受け付け、ＩＳＤＮ手順にしたがった発呼、通報動作を実行するようにする。
【００９９】
この実施の形態の場合には、ターミナルアダプタ部１００の構成を、簡単にすることができるメリットがある。
【０１００】
【発明の効果】
以上説明したように、この発明によるＩＳＤＮ回線中継装置によれば、アナログ回線用の通報装置を用いて、ＩＳＤＮ回線を通じた通報を行う場合において、逆信待機中におけるＩＳＤＮ回線用のデジタル端末やアナログ回線用端末での回線捕捉を無効にする、あるいは拒否することにより、通報先からの逆信を、アナログ回線用の非常通報装置が優先して確実に受けることができる。
【図面の簡単な説明】
【図１】この発明によるＩＳＤＮ回線中継装置の実施の形態のブロック図である。
【図２】この発明によるＩＳＤＮ回線中継装置の使用態様を説明するための図である。
【図３】非常通報装置の動作の例を示すフローチャートである。
【図４】実施の形態のＩＳＤＮ回線中継装置における非常通報時の動作を説明するためのフローチャートの一部である。
【図５】実施の形態のＩＳＤＮ回線中継装置における非常通報時の動作を説明するためのフローチャートの続きである。
【図６】この発明によるＩＳＤＮ回線中継装置を用いた非常通報制御処理の流れを説明するためのシーケンス図の一部である。
【図７】この発明によるＩＳＤＮ回線中継装置を用いた非常通報制御処理の流れを説明するためのシーケンス図の続きである。
【符号の説明】
１      ＩＳＤＮ回線
４      アナログ回線用の非常通報装置
５      他のアナログ回線用端末
６、７  デジタル回線用端末
８      非常用電話機
１０      ＩＳＤＮ回線中継装置
１００    ターミナルアダプタ部
ＴＡｓ    非常通報装置用の回路部
ＴＡｎ    他のアナログ回線用端末用の回路部
２００    回線強制切断回路部
１０ａ    非常通報装置用のアナログポート
１０ｂ    通報中出力信号の入力端子
１０ｇ    他のアナログ回線用端末用のアナログポート
１１      ＩＳＤＮインターフェース
１６      給電回路
１８      回線捕捉検出回路
１９      ＰＢレシーバ（ダイヤル識別回路）
２０      回線捕捉監視回路
２１      トーン発生回路
２２      呼出信号発生回路
２３      通報中検出回路
２４      制御回路
ＲＡ      リレー
ＲＢ      リレー
【図１】
0004007722.tif 000002
【図２】
0004007722.tif 000003
【図３】
0004007722.tif 000004
【図４】
0004007722.tif 000005
【図５】
0004007722.tif 000006
【図６】
0004007722.tif 000007
【図７】
0004007722.tif 000008